(57)【要約】      （修正有）【課題】使用時に、後頭部及び首部が浮き上がらず、圧迫されなくなり、また、血液循環がスムーズになり、呼吸が順調になるので、鼾を改善できるとともに、身体の疲労を解消することができ、また、頚椎の回復に寄与でき、不良な睡眠姿勢を直すことができるので、首全体を守ることができるメモリーフォーム枕を提供する。【解決手段】芯材と、芯材をカバーする枕カバーとを備え、芯材は、順に設けられる第１枕部１、第２枕部３及び頭部支持部２を備え、第１枕部１の高さが第２枕部３の高さより高くなるように設けられたメモリーフォーム枕であって、第１枕部１の中央部にさらに首溝４が設けられ、首溝４と第１枕部１の間に丸み部５が設けられ、第１枕部１において、首溝４に近い側に肩保護部６が設けられている。【選択図】図１
0003216441.tif 000002
【実用新案登録請求の範囲】
【請求項１】
芯材と、芯材をカバーする枕カバーとを備え、
前記芯材は、順に設けられる第１枕部（１）、第２枕部（３）及び頭部支持部（２）を備え、
前記第１枕部（１）の高さが前記第２枕部（３）の高さより高くなるように設けられたメモリーフォーム枕であって、
前記第１枕部（１）の中央部にさらに首溝（４）が設けられ、前記首溝（４）と第１枕部（１）の間に丸み部（５）が設けられ、前記第１枕部（１）において、前記首溝（４）に近い側に肩保護部（６）が設けられている
ことを特徴とするメモリーフォーム枕。
【請求項２】
前記メモリーフォーム枕は、芯材に着脱可能に装着された高さ調節パッドをさらに備えていることを特徴とする請求項１に記載のメモリーフォーム枕。
【請求項３】
前記首溝（４）に対応する前記芯材内部にマッサージ器が設けられていることを特徴とする請求項２に記載のメモリーフォーム枕。
【請求項４】
前記芯材内部に複数のブルートゥースプレーヤが設けられていることを特徴とする請求項３に記載のメモリーフォーム枕。
【請求項５】
前記枕カバーは、通気編み地及びチャックを備えていることを特徴とする請求項４に記載のメモリーフォーム枕。
【考案の詳細な説明】
【技術分野】
【０００１】
本考案は、寝装品分野に属し、特にメモリーフォーム枕に関する。
【背景技術】
【０００２】
枕は、常用の寝装品として、人々の日常生活の必需品となっている。睡眠の質を向上させるために、現在、様々な使い心地のよい枕、例えば、メモリーフォーム材料で作成されたメモリーフォーム枕が市販されている。メモリーフォーム材料は、感熱性フォームであり、寝る時、人体の体重にあわせて脊椎及び関節を自然な生理状態に調整する機能を有する。また、メモリーフォーム材料で作成された芯材は、従来の芯材より、使い心地がよりよく、ストレスをより解消できる機能を有する。
【０００３】
現在、市販されているメモリーフォーム枕は、枕の高さへの多数の人々の要求を満たすために、枕の上面を凹凸のある曲面に形成し、枕の両側に位置する第１枕部及び第２枕部と、２つの枕部の間に位置する頭部支持部とを備えるように構成されている。このような枕は、枕の高さへの多数の人々の要求を満たすことができるが、肩及び首部の支持は十分ではないので、使用後に肩及び首部の凝りが発生してしまう場合があり、ユーザの使い心地がよくない。
【考案の概要】
【考案が解決しようとする課題】
【０００４】
本考案は、従来技術の上記問題を鑑みて、従来技術のメモリーフォーム枕を使用した後に、首部及び肩の凝りが発生してしまい、ユーザの使い心地がよくない等の問題を解決できるメモリーフォーム枕を提供することを課題とする。
【課題を解決するための手段】
【０００５】
上記の技術問題を解決するために、本考案は、以下の技術案を提供する。メモリーフォーム枕は、芯材と、芯材をカバーする枕カバーとを備え、前記芯材は、順に設けられる第１枕部、第２枕部及び頭部支持部を備え、前記第１枕部の高さが第２枕部の高さより高くなるように設けられ、前記第１枕部の中央部にさらに首溝が設けられ、前記首溝と第１枕部との間に丸み部が設けられ、前記第１枕部において、首溝に近い側に肩保護部が設けられている。
【０００６】
本考案のより好ましい技術案は、前記メモリーフォーム枕が芯材に着脱可能に装着された高さ調節パッドをさらに備えている。
【０００７】
本考案のより好ましい技術案は、首溝に対応する前記芯材内部にマッサージ器が設けられている。
【０００８】
本考案のより好ましい技術案は、前記芯材内部に複数のブルートゥース（登録商標）プレーヤが設けられている。
【０００９】
本考案のより好ましい技術案は、前記枕カバーが、通気編み地及びチャックを備えている。
【考案の効果】
【００１０】
本考案の有益な効果は以下のようになる。
【００１１】
第１枕部の中央部に首部に対応する首溝を設けることによって、使用時に、後頭部及び首部が浮き上がらず、圧迫されなくなる。また、血液循環がスムーズになり、呼吸が順調になるので、鼾を改善できるとともに、身体の疲労を解消することができる。また、頚椎の回復に寄与でき、不良な睡眠姿勢を直すことができるので、首全体を守ることができる。また、第１枕部の首溝より近い側に肩保護部を設けることによって、肩が肩保護部に当たるため、肩のストレスを解消でき、ユーザの使い心地を向上させることができる。
【００１２】
以下、図面及び実施例を参照しながら本考案をより詳しく説明する。
【図面の簡単な説明】
【００１３】
【図１】本考案のメモリーフォーム枕の芯材の構成図である。
【考案を実施するための形態】
【００１４】
図面を参照しながら本考案の好ましい実施例を詳しく説明する。
【００１５】
図１に示すように、本実施例のメモリーフォーム枕は、芯材と、芯材をカバーする枕カバーとを備えている。芯材は、順に設けられる第１枕部１、第２枕部３及び頭部支持部２を備えている。第１枕部１が第２枕部３より高くなるように設けられている。第１枕部１の中央部にさらに首溝４が設けられ、首溝４と第１枕部１との間に丸み部５が設けられている。第１枕部１において、首溝４に近い側に、肩保護部６が設けられている。頭部支持部２により第１枕部１と第２枕部３とを平滑に接続しているので、使用時に頭部が浮き上がらず、睡眠の質を向上させることができる。第１枕部の中央部に首部に対応する首溝４を設けることによって、使用時に、後頭部及び首部が浮き上がらず、圧迫されなくなる。また、血液循環がスムーズになり、呼吸が順調になるので、鼾を改善できるとともに、身体の疲労を解消することができる。また、頚椎の回復に寄与でき、不良な睡眠姿勢を直すことができるので、首全体を守ることができる。また、第１枕部において、首溝４に近い側に肩保護部６を設けることによって、肩が肩保護部６に当接するので、肩のストレスを解消でき、ユーザの使い心地を向上させることができる。首溝４と第１枕部１との間に丸み部５が設けられている。首溝４と第１枕部１との間に丸み部５を設けることによって、首溝４から第１枕部１までの移行部をより平滑にすることができるので、より快適に寝返りできる。
【００１６】
さらに、メモリーフォーム枕は、芯材に着脱可能に装着された高さ調節パッドを備えている。芯材の下に高さ調節パッドを追加することによって、第１枕部１及び第２枕部３の高さを調節できる。調節する際に、高さ調節パッドを重ねて使用すれば良いので、快適になるとともに、異なる高さの芯材に対するユーザの要求を満たすことができる。
【００１７】
さらに、首溝４に対応する芯材内部にマッサージ器が設けられている。マッサージ器を設けることによって、寝る前に首部をマッサージすることができるので、身体をリラックスさせることができるとともに、睡眠の質を向上させることができる。
【００１８】
さらに、芯材内部に複数のブルートゥースプレーヤが設けられている。芯材内部に複数のブルートゥースプレーヤを設けることによって、寝るときに睡眠音楽を流すことができるので、睡眠の質を向上させることができる。
【００１９】
さらに、枕カバーは、通気編み地及びチャックを備えている。チャックによって、芯材を枕カバー内に快適に入れることができる。通気編み地で作成された枕カバーは、枕の通気を促し、雑菌の発生を抑止することができる。
【００２０】
上記の実施例は、本考案の技術案を説明するためのものに過ぎず、なんら制限するものではないと理解すべきである。当業者は、上記実施例に記載の技術案を変更、又はその一部の技術特徴を均等に置き換えることができる。これらの変更及び置き換えは、本考案の請求の範囲内に属する。
【図１】
0003216441.tif 000003